(57)【要約】【課題】  外包部材に収納された粘土が外圧を受けても変形しにくく商品価値の低下を防止することができると共に、使い残された未使用の粘土を収納して固まらないように保存しうる粘土包装体を提供する。【解決手段】  所定の形状に成形された粘土と、上記粘土を収容しうる形状に成形された粘土収納容器と、上記粘土を収容した上記粘土収納容器を収納して密封しうる外包部材とを有し、上記外包部材の開口部位となる箇所に、繰り返し開閉可能な閉止装置が設けられている。上記閉止装置はジップロックであって、上記外包部材を構成する表裏両面部材の一方の内面部に配置され、上記外包部材の幅方向に沿って溝部が形成された雌部材と、上記外包部材を構成する表裏両面部材の他方の内面部に上記雌部材と対向するように配置され、上記溝部に押入して係合可能で且つ上記溝部から脱出して離間可能な突条が上記外包部材の幅方向に沿って形成された雄部材とにより構成されている。【選択図】  図１
0003119803.tif 000002
【実用新案登録請求の範囲】
【請求項１】
所定の形状に成形された粘土と、上記粘土を収容しうる形状に成形された粘土収納容器と、上記粘土を収容した上記粘土収納容器を収納して密封しうる外包部材とを有し、上記外包部材の開口部位となる箇所に、繰り返し開閉可能な閉止装置が設けられていることを特徴とする粘土包装体。
【請求項２】
上記閉止装置は、上記外包部材を構成する表裏両面部材の一方の内面部に配置され、上記外包部材の幅方向に沿って溝部が形成された雌部材と、上記外包部材を構成する表裏両面部材の他方の内面部に上記雌部材と対向するように配置され、上記溝部に押入して係合可能で且つ上記溝部から脱出して離間可能な突条が上記外包部材の幅方向に沿って形成された雄部材とにより構成されていることを特徴とする請求項１記載の粘土包装体。
【請求項３】
上記外包部材は周縁部がシールされており、そのシールされた一辺から内方へ少し離間した位置に上記閉止装置が配置され、上記シールされた縁部と上記閉止装置との間に、上記外包部材の切り口が配置されていることを特徴とする請求項１または２のいずれかに記載された粘土包装体。
【請求項４】
上記粘土収納容器は上記粘土の一部を露出させうる開口部を有するトレー状に形成されていることを特徴とする請求項１〜３のいずれかに記載された粘土包装体。
【請求項５】
上記粘土収納容器の上記開口部の周囲には広幅縁部が形成されていることを特徴とする請求項４に記載された粘土包装体。
【考案の詳細な説明】
【技術分野】
【０００１】
本考案は美術工芸や学校教材等に使用される粘土の包装体に係り、特に、使い残された未使用の粘土を固まらないように保存しうる粘土包装体に関する。
【背景技術】
【０００２】
従来の粘土は、炭酸カルシウムを主成分とし、これに、パルプ、水、粘結材、防黴剤等を混練して構成されていた。このように構成された従来の粘土は、重く、乾燥によりひび割れしやすい等の不具合があった。
そこで、近年は、合成粘結材、微小中空球、パルプ、水、その他の添加物等を配合して構成される軽量粘土が提案されている。
【０００３】
しかしながら、上記軽量粘土を直に外包材により包装した包装体にあっては、これを店頭に並べて販売する際に、子供等が何度も指で触れることがあり、又、輸送や保管時に、側方から強く把持して押圧したりすることがあるので、上記軽量粘土が変形してしまい、商品価値が著しく低下するという不具合があった。
また、上記軽量粘土は、造形しやすいように、水分を比較的多く添加する必要があり、そのために益々変形しやすくなり、形崩れしやすいという不具合もあった。
【０００４】
そこで本出願人は上記不具合を解消しうる粘土包装体を考案し、先の出願（特許文献１及び特許文献２参照）により提案している。
【０００５】
【特許文献１】実用新案登録第３０９４２５０号公報
【特許文献２】特願２００３−１３００４４号
【０００６】
本出願人が提案した上記粘土包装体は、粘土が、上面部を開放したトレー状のプラスチック容器に収納された状態でプラスチックフィルム製の外袋により包装されるように構成されている。
これにより、粘土は上面部を除き四方の側面部及び底面部が上記プラスチック容器により堅固に保護されるため、プラスチックフィルム製の外袋の外から子供等が指で触れることにより圧力を加えても粘土が変形しにくくなり、商品価値の低下を防止することができる。
【０００７】
ところで、粘土を使用する場合、周辺部全体が溶着等により密封されたプラスチックフィルム製の外袋の一部を切り開いて開口し、そこから粘土を取り出して使用することになるが、粘土の一部が使用されないで残る場合が多い。
そのような使い残された未使用の粘土をそのまま放置したり、上記外袋に収納して保管すると、空気に触れて乾燥することにより硬く固まってしまい使用不能になるという不具合がある。
そのため、未使用の粘土はラップ等に包むか、外袋の開口部を粘着テープ等で密封するかして空気に触れないように保存しなければならず煩雑であるという不具合があった。
【考案の開示】
【考案が解決しようとする課題】
【０００８】
そこで本考案の課題は、外包部材に収納された粘土が外圧を受けても変形しにくく商品価値の低下を防止することができると共に、使い残された未使用の粘土を収納して固まらないように保存しうる粘土包装体を提供することにある。
【課題を解決するための手段】
【０００９】
上記課題を解決するために、請求項１記載の本考案に係る粘土包装体は、所定の形状に成形された粘土と、上記粘土を収容しうる形状に成形された粘土収納容器と、上記粘土を収容した上記粘土収納容器を収納して密封しうる外包部材とを有し、上記外包部材の開口部位となる箇所に、繰り返し開閉可能な閉止装置が設けられていることを特徴とする。
【００１０】
即ち、請求項１記載の本考案に係る粘土包装体にあっては、粘土は粘土収納容器に収容されて保護された状態で外包部材により包装されている。したがって、店頭に並べられて販売される場合に、子供等が上記外包部材の外から指で粘土に触れようとしても、上記粘土収納容器によって制限されることになる。これにより、粘土が指で押圧される度合いが少なくなり、変形や形崩れが生じにくくなる。
また、粘土を使用して工作した場合に、一部の粘土が未使用のまま使い残されることがあるが、上記外包部材の開口部位となる箇所に繰り返し開閉可能な閉止装置が設けられていることから、上記未使用の粘土を再び上記外包部材の内部に収納してから上記閉止装置を閉じることにより密封することができる。したがって、上記未使用の粘土を、適度な柔軟性や粘度を失わない状態で保存することができる。
【００１１】
また、請求項２記載の本考案に係る粘土包装体は、上記閉止装置は、上記外包部材を構成する表裏両面部材の一方の内面部に配置され、上記外包部材の幅方向に沿って溝部が形成された雌部材と、上記外包部材を構成する表裏両面部材の他方の内面部に上記雌部材と対向するように配置され、上記溝部に押入して係合可能で且つ上記溝部から脱出して離間可能な突条が上記外包部材の幅方向に沿って形成された雄部材とにより構成されていることを特徴とする。
【００１２】
即ち、請求項２記載の本考案に係る粘土包装体にあっては、上記雌部材に設けられた上記溝部に、上記雄部材に設けられた上記突条を押入し係合させ、上記雌部材と上記雄部材とを密着させることにより上記閉止装置を閉じて密封することができる。
また、上記突条を上記溝部から脱出させ、上記雌部材と上記雄部材とを離間して開口することにより、上記外包部材の内部に上記粘土収納容器に収容された上記粘土を取り出したり収納することができる。
【００１３】
また、請求項３記載の本考案に係る粘土包装体は、上記外包部材は周縁部がシールされており、そのシールされた一辺の縁部から内方へ少し離間した位置に上記閉止装置が配置され、上記シールされた縁部と上記閉止装置との間に、上記外包部材の切り口が配置されていることを特徴とする。
【００１４】
即ち、請求項３記載の本考案に係る粘土包装体にあっては、上記切り口から上記シールされた縁部と上記閉止装置との間を切断すると、同所は非シール部位であることから、上記閉止装置を開くことにより開口することができる。
また、上記閉止装置を閉じることにより上記外包部材を密封することができる。
【００１５】
また、請求項４記載の本考案に係る粘土包装体は、上記粘土収納容器は上記粘土の一部を露出させうる開口部を有するトレー状に形成されていることを特徴とする。
【００１６】
即ち、請求項４記載の本考案に係る粘土包装体にあっては、上記粘土収納容器がトレー状に形成されていることから、上記開口部から粘土を容易に取り出したり収納することができる。
また、上記粘土収納容器は上記開口部において粘土の一部を露出させるので、上記外包部材の外から上記粘度収納容器を介することなく、指で一部の粘土に直に触れることができる。したがって、粘土の硬度や粘度を触感により確認することができる。
【００１７】
また、請求項５記載の本考案に係る粘土包装体は、上記粘土収納容器の上記開口部の周囲には広幅縁部が形成されていることを特徴とする。
【００１８】
即ち、請求項５記載の本考案に係る粘土包装体にあっては、上記広幅縁部により上記粘土収納容器における側壁上縁部が補強され強度が向上する。したがって、上記粘土収納容器の保形性が向上し、外圧を受けても形崩れしにくくなる。
【考案の効果】
【００１９】
請求項１記載の本考案に係る粘土包装体は、所定の形状に成形された粘土と、上記粘土を収容しうる形状に成形された粘土収納容器と、上記粘土を収容した上記粘土収納容器を収納して密封しうる外包部材とを有していることから、上記粘土は上記粘土収納容器に収容されて保護された状態で上記外包部材に収納されることになる。
したがって、上記外包部材の外から子供等が指を触れて粘土を押圧するようなことがあっても、上記粘土は上記粘土収納容器により保護されているため、変形が防止される。これにより、粘土の変形や形崩れによる商品価値の低下を防止することができる。
また、上記外包部材において開口部位となる箇所に、繰り返し開閉可能な閉止装置が設けられていることから、使用されずに残った未使用の粘土を上記外包部材に収納してから上記閉止装置により上記開口部位を密封して保存することができる。
これにより、保存中に粘土が空気に触れたままになって乾燥するのを回避でき、粘土が硬く固まって使用不能になるのを防止することができる。
【００２０】
また、請求項２記載の本考案に係る粘土包装体は、上記閉止装置は、上記外包部材を構成する表裏両面部材の一方の内面部に配置され、上記外包部材の幅方向に沿って溝部が形成された雌部材と、上記外包部材を構成する表裏両面部材の他方の内面部に上記雌部材と対向するように配置され、上記溝部に押入して係合可能で且つ上記溝部から脱出して離間可能な突条が上記外包部材の幅方向に沿って形成された雄部材とにより構成されていることから、上記雄部材における上記突条を上記雌部材における上記溝部の位置に合わせて指等で挟み押圧することにより、簡単に上記突条を上記溝部に押入させて係合させることができる。したがって、開口部位を容易に密封することができ、密封操作が容易で使い勝手が良好である。
また、上記閉止装置は構造が単純であり製造コストを低く抑えることができる。
【００２１】
また、請求項３記載の本考案に係る粘土包装体は、上記外包部材は周縁部がシールされており、そのシールされた一辺から内方へ少し離間した位置に上記閉止装置が配置され、上記シールされた縁部と上記閉止装置との間に、上記外包部材の切り口が配置されていることから、上記シールされた縁部と上記閉止装置との間を切り離してから、上記閉止装置を開くことにより容易に開口部を形成することができ、同開口部から上記粘土を収容した上記粘土収納容器を簡単に出し入れすることができる。
また、店頭に陳列された状態、又は保管や搬送中に、上記閉止装置が誤って開いた場合でも、その外側がシールされているため粘土の乾燥を防止することができる。
【００２２】
また、請求項４記載の本考案に係る粘土包装体は、上記粘土収納容器は上記粘土の一部を露出させうる開口部を有するトレー状に形成されていることから、上記粘土収納容器に対する上記粘土の収容や取り出しが容易である。
また、上記外包部材の外から上記開口部において露出した粘土に指を触れることにより粘土の粘性や硬度を触感で確認することができ、消費者は所望の粘土を選択しやすい。
【００２３】
また、請求項５記載の本考案に係る粘土包装体は、上記粘土収納容器の上記開口部の周囲に広幅縁部が形成されていることから、上記粘土収納容器の開口部の周囲の強度が増大して外圧を加えられても潰れにくくなる。したがって、上記粘土収納容器の潰れによる上記粘土の変形を防止することができる。
また、上記粘土収納容器の上記開口部の周囲に広幅縁部が形成されていることから、上記粘土収納容器を上記外包部材に出し入れする際に、上記粘土収納容器の周囲の側面部が上記外包部材の内面部に密着するのを上記広幅縁部が防止するので、上記粘土収納容器を上記外包部材に対し容易に出し入れすることができる。
【考案を実施するための最良の形態】
【００２４】
以下、図面を用いて本考案の実施の形態について説明する。
本実施の形態に係る粘土包装体１１は、図２に示すように、所定の形状に成形された粘土１２と、上記粘土１２を収容しうる形状に成形された粘土収納容器１３と、上記粘土１２を収容した上記粘土収納容器１３を収納して密封しうる外包部材１４とを有し、上記外包部材１４の開口部位となる箇所に、繰り返し開閉可能な閉止装置２２が設けられている。
また、上記閉止装置２２は、図３及び図４に示すように、上記外包部材１４を構成する表裏両面部材の一方の内面部に配置され、上記外包部材１４の幅方向に沿って溝部２８が形成された雌部材２６と、上記外包部材１４を構成する表裏両面部材の他方の内面部に上記雌部材２６と対向するように配置され、上記溝部２８に押入して係合可能で且つ上記溝部２６から脱出して離間可能な突条２９が上記外包部材１４の幅方向に沿って形成された雄部材２７とにより構成されている。
また、上記外包部材１４は、図１に示すように、周縁部がシールされており、そのシールされた一辺から内方へ少し離間した位置に上記閉止装置２２が配置され、上記シールされた縁部と上記閉止装置２２との間に、上記外包部材１４の切り口２４が配置されている。
また、上記粘土収納容器１３は、図２に示すように、上記粘土１２の一部を露出させうる開口部１５を有するトレー状に形成されている。
また、上記粘土収納容器１３の上記開口部１５の周囲には、図２に示すように、広幅縁部１６が形成されている。
【実施例１】
【００２５】
図は実施例に係る粘土包装体１１を示したものである。
本実施例に係る粘土包装体１１は、図２に示すように、粘土１２と、粘土収納容器１３と、外包部材１４とにより構成されている。
【００２６】
まず、上記粘土は、美術工芸や学校教材等に使用される粘土であって、軽量粘土１２が使用され、図２に示すように、方形の板状に成形されている。
上記軽量粘土１２は、所定量のバインダー樹脂と、発泡中空微小球と、パルプと、水と、粘結剤等により構成されている。
【００２７】
上記バインダー樹脂としては、ポリビニルアルコール樹脂が使用され、上記軽量粘土１２の全体量に対し０．１〜３０重量％含有されている。
また、上記中空微小球としては、外殻が塩化ビニリデン−アクリロニトリル共重合樹脂等から構成され、内部に気体や液体を内包した有機中空微小球等の発泡体が使用され、上記軽量粘土１２の全体量に対し０．１〜６重量％含有されている。
また、上記パルプとしては、繊維等が使用され、上記軽量粘土１２の全体量に対し１〜１０重量％含有されている。また、上記軽量粘土１２には、全体量に対し６０〜８５重量％の水分が含まれている。上記軽量粘土１２は、このような水分量を含むことにより、手触りが良好になると共に優れた伸び性等を有することができ、粘土収納容器１３の底や側壁に過度にはりつくことを防止することができる。
【００２８】
次に、上記粘土収納容器１３は、図２に示すように、方形の板状に成形された上記軽量粘土１２を収容可能なトレー状に形成されている。
即ち、上記粘土収納容器１３は上記粘土１２の上面部を露出させる開口部１５を上方に有している。
また、上記粘土収納容器１３は底部１８より上記開口部１５の方が若干広く形成され、即ち、図３及び図４に示すように、側壁１７が外方へ僅かに傾斜するように形成され、粘土収納スペース２５は逆台形状の断面を有している。
上記粘土収納容器１３がトレー状に形成されていることにより、子供等が外包材１４の外から上記粘土１２を指で触ろうとしても、上記開口部１５に露出した上面部だけに制限されるので、粘土の変形による形崩れが防止される。また、上記粘土収納容器１３に対する上記粘土１２の出し入れも容易となる。
【００２９】
また、上記粘土収納容器１３は、ポリエチレンテレフタレート樹脂（ＰＥＴ樹脂）を素材として射出成形により成形されている。
なお、その他の素材として、ポリプロピレン樹脂、ポリエチレン樹脂、ポリアミド樹脂、アクリル樹脂等も使用可能である。
【００３０】
上記粘土収納容器１３は、壁等の厚さ寸法が０．５ｍｍ以下（より好ましいのは０．４ｍｍ以下）に設定されている。
【００３１】
また、上記粘土収納容器１３は、図２に示すように、上記開口部１５の周囲に沿って全体に広幅縁部１６が形成されている。
上記広幅縁部１６は、上記粘土収納容器１３の側壁１７が延出した折り曲げ部として形成されている。上記広幅縁部１６の幅寸法は０．１〜１０ｍｍ（より好ましいのは１〜６ｍｍで、さらに好ましいのは２〜５ｍｍである）に設定されている。
【００３２】
上記広幅縁部１６が設けられることにより、上記側壁１７の上縁部の強度が増大し、外圧を加えられても変形しにくくなる。
また、上記広幅縁部１６が設けられることにより、外包部材１４に対し上記粘土収納容器１３を出し入れする場合に、上記広幅縁部１６に指を掛けられるので、手で保持しやすくなり、出し入れ作業が容易になる。
また、上記広幅縁部１６が設けられることにより、外包部材１４に対し上記粘土収納容器１３を出し入れする場合に、上記側壁１７が外包部材１４の内面部に密着するのを上記広幅縁部１６が防止するので、出し入れ作業がさらに容易になる。
【００３３】
また、上記粘土収納容器１３の底部１８には、図２〜図４に示すように、凹凸部１９が形成されている。
上記凹凸部１９が形成されていることにより、水分を多量に含む上記粘土１２を上記粘土収納容器１３に収容した場合に、ぞの粘土１２が上記底部１８にはりつくのを防止することができ、粘土１２の取り出しが容易になる。
【００３４】
次に、上記外包部材１４は、プラスチックフィルム２０ａ，２０ｂにより形成されている。上記プラスチックフィルム２０ａ，２ｏｂとしては、ポリプロピレンフィルムが使用されているが、ポリエステルフィルム等も使用可能である。
【００３５】
上記外包部材１４は、図１〜図４に示すように、２枚の方形の上記プラスチックフィルム２０ａ，２ｏｂを重ね合わせて、その周縁部を溶着によりシールすることにより中空の袋状に形成されている。図中、符号２１ａ，２１ｂ，２１ｃ，２１ｄが上記溶着されたシール縁部を示している。
【００３６】
図１〜図４に示すように、上記外包部材１４において、一辺のシール縁部２１ａから長さ方向の内方へ少し離間した位置には、上記外包部材１４の幅方向に沿って閉止装置２２が配置されている。
【００３７】
また、上記シール縁部２１ａと上記閉止装置２２との間は、図３及び図４に示すように、非溶着部位２３になっており、同非溶着部位２３には一方の側縁部に切り口２４が設けられている。
【００３８】
上記閉止装置２２は、繰り返し開閉可能な構造を有している。上記閉止装置２２としてはジップロック（商品名）が使用されている。
【００３９】
上記閉止装置２２は、図３及び図４に示すように、一対の雌部材２６と雄部材２７とにより構成されている。上記雌部材２６と雄部材２７は弾性変形可能なプラスチック素材によりテープ状に形成されている。
上記雌部材２６は幅方向の中心部に溝部２８が長さ方向に沿って形成されている。上記溝部２８は蟻溝形状を有している。
また、上記雄部材２７は幅方向の中心部に突条２９が長さ方向に沿って形成されている。
上記突条２９は先端部に径が拡大した傘部３０を有し、上記傘部３０は上記溝部２８に弾性変形により押入可能に、かつ、脱出可能に形成されている。
【００４０】
上記閉止装置２２における上記雌部材２６は、上記外包部材１４を構成する表面部材３１の内面部に固着され、上記閉止装置２２における上記雄部材２７は上記外包部材１４を構成する裏面部材３２の内面部に固着され、上記雌部材２６と上記雄部材２７は対向するように配置されている。
【００４１】
次に、上記実施例の作用について説明する。
まず、店頭に並べて販売する場合は、図１及び図３に示すように、上記粘土１２は上記粘土収納容器１３に収容され保護された状態で上記外包部材１４に収納されていることから、子供等が上記外包部材１４の外から指で粘土１２を触ろうとしても、上記粘土収納容器１３によって制限を受けるので、粘土１２に直に指が触れて押圧される度合いが減少する。したがって、上記粘土１２の変形や形崩れが防止され、商品価値の低下が防止される。
【００４２】
次に、上記粘土１２を使用して工作する場合は、上記外包部材１４から上記粘土収納容器１３を取り出し、さらに、上記粘土収納容器１３から上記粘土１２を取り出すことになる。
上記外包部材１４から上記粘土収納容器１３を取り出すには、まず、上記外包部材１４における上記非溶着部位２３を、図１に示すＢ−Ｂ線に沿って上記切り口２４から切断する。
【００４３】
次に、上記閉止装置２２を、図２及び図４に示すように、開口する。
上記閉止装置２２を開口するには、図２に示すように、上記雌部材２６と上記雄部材２７を外側へ湾曲させて、上記突条２９の傘部３０を上記溝部２８から脱出させ、上記雌部材２６と上記雄部材２７を離間させればよい。
【００４４】
開口した上記閉止装置２２を通過させることにより上記粘土収納容器１３を外部に取り出してから、上記粘土収納容器１３を上下反転させれば上記粘土１２が自然落下するので容易に取り出すことができる。
【００４５】
取り出した上記粘土１２を使用して工作した場合、一部の粘土１２が未使用のまま使い残される場合がある。
その場合は、使い残された未使用の一部の粘土１２を再び上記粘土収納容器１３に収容し、その粘土収納容器１３を再び開口した上記閉止装置２２を通過させることにより上記外包部材１４の内部に挿入する。
そして、上記閉止装置２２を閉じて密封する。上記閉止装置２２を閉じるには、上記突条２９の傘部３０を上記溝部２８に押入して係合させ、上記雌部材２６と上記雄部材２７を密着させればよい。
【００４６】
上記閉止装置２２を閉じて密封した状態で保存すれば、上記外包部材１４の内部に収納され、上記粘土収納容器１３に収容された未使用の粘土１２は、外気に触れることなく保存されることになるので、乾燥しにくくなり、適度な柔軟性と粘性が維持される。
したがって、上記未使用の粘土１２を再び取り出して工作することが可能である。
【産業上の利用可能性】
【００４７】
本考案は粘土を包装する装置に適用可能である。
【図面の簡単な説明】
【００４８】
【図１】本考案実施例に係る粘土包装体の斜視図である。
【図２】本考案実施例に係る粘土包装体の分解斜視図である。
【図３】図１のＡ−Ａ線における断面図である。
【図４】本考案実施例に係る粘土包装体の閉止装置が開いた状態の断面図である。
【符号の説明】
【００４９】
１１  粘土包装体
１２  粘土
１３  粘土収納容器
１４  外包部材
１５  開口部
１６  広幅縁部
１７  側壁
１８  底部
１９  凹凸部
２０ａ，２０ｂ  プラスチックフィルム
２１ａ，２１ｂ，２１ｃ，２１ｄ  シール縁部
２２  閉止装置
２３  非溶着部位
２４  切り口
２５  粘土収納スペース
２６  雌部材
２７  雄部材
２８  溝部
２９  突条
３０  傘部
３１  表面部材
３２  裏面部材
【図１】
0003119803.tif 000003
【図２】
0003119803.tif 000004
【図３】
0003119803.tif 000005
【図４】
0003119803.tif 000006